(57)【要約】      （修正有）【課題】ソックス着用者の好みに応じて、足指の通気性及び保温性を選択的に得ることができ、かつ、意匠性にも優れたソックスを提供する。【解決手段】先端が開口５されており、着用時に開口５から足指が露出するように構成されたソックス１である。先端には、足指を被覆するとともに開口５を閉塞するカバー体２が、取り外し及び装着自在に設けられている。【選択図】図１
0003186427.tif 000002
【実用新案登録請求の範囲】
【請求項１】
先端が開口されており、着用時に前記開口から足指が露出するように構成されたソックスであって、
前記先端には、前記足指を被覆するとともに前記開口を閉塞するカバー体が、取り外し及び装着自在に設けられたことを特徴とするソックス。
【請求項２】
請求項１に記載のソックスであって、
前記カバー体は、前記開口から取り外されているときは、ソックスの装飾として利用されることを特徴とするソックス。
【請求項３】
請求項１又は２に記載のソックスであって、
前記カバー体は、取り外し時に折り畳まれるか又は丸められた状態でソックスの甲側面に重合されるとともに、前記開口の近傍に設けられた保持部材により前記重合状態が保持されることを特徴とするソックス。
【請求項４】
請求項１から３のいずれか１項に記載のソックスであって、
前記開口には、前記足指の各指間に挿入される指仕切部が設けられていることを特徴とするソックス。
【考案の詳細な説明】
【技術分野】
【０００１】
本考案は、ソックス着用者の好みに応じて、足指の通気性及び保温性を選択することができ、かつ、意匠性にも優れたソックスに関するものである。
【背景技術】
【０００２】
ハイヒール等の足指に荷重がかかる靴や甲幅の狭い靴は、靴内部にほとんど隙間がなく、足全体が靴とほぼ密着するため、このような靴を履いていると、足指が蒸れたり、荷重により足指が圧迫されたりする。そこで、靴を脱いで家の中でリラックスするのに適した靴下として、足指に対して通気性の良い靴下や、圧迫された各指先の間を広げることができる靴下が近年提案されている。
【０００３】
例えば、特許文献１には、足指に対して通気性の良い靴下として、先端部分が開口された靴下が開示されている。また、特許文献２には、圧迫された足指を広げることができる靴下として、先端が開口された靴下の開口部に、足指の間を仕切る仕切り部が設けられた靴下が開示されている。
【先行技術文献】
【特許文献】
【０００４】
【特許文献１】実用新案登録第３１１４０４４号公報
【特許文献２】実用新案登録第３１４８８４５号公報
【考案の概要】
【考案が解決しようとする課題】
【０００５】
しかしながら、特許文献１及び２に開示された従来の靴下は、いずれも、先端が開口されており足指が露出するようになっているため、夏場の暑い時期は、通気性が高くて快適であるが、冬場の寒い時期は、足指が冷たい外気に晒されるため指先が冷える、といった問題があった。
【０００６】
また、上述した従来の靴下は、飾り気のないデザインであり、意匠性が乏しいものでもあった。
【０００７】
本考案は、かかる点に鑑みてなされたものであり、その目的とするところは、ソックス着用者の好みに応じて、足指に対する通気性及び保温性を選択的に得ることができ、かつ、意匠性にも優れたソックスを提供することにある。
【課題を解決するための手段】
【０００８】
上記した目的を達成するため、本考案は次のとおりの構成としている。
【０００９】
本考案に係るソックスは、先端が開口されており、着用時に前記開口から足指が露出するように構成されたソックスであって、前記先端には、前記足指を被覆するとともに前記開口を閉塞するカバー体が、取り外し及び装着自在に設けられたことを特徴とする。
【００１０】
このような構成により、本考案に係るソックスは、先端に足指を被覆するとともに開口を閉塞するカバー体を取り外せば足指に対して通気性が得られ、カバー体を装着すれば保温性が得られる。このように、ソックス着用者の好みに応じて、足指に対する通気性及び保温性を選択的に得ることができる。
【００１１】
上記のソックスであって、前記カバー体は、前記開口から取り外されているときは、ソックスの装飾として利用される構成とする。
【００１２】
このような構成により、カバー体は開口から取り外されているときは、ソックスの装飾として利用されるため、意匠性の良いソックスとすることができる。なお、取り外したカバー体のソックスへの取り付け方は、下記の手段も含め任意である。
【００１３】
上記のソックスであって、前記カバー体は、取り外し時に折り畳まれるか又は丸められた状態でソックスの甲側面に重合されるとともに、前記開口の近傍に設けられた保持部材により前記重合状態が保持される構成とする。
【００１４】
このような構成により、カバー体を、ソックス着用者の好みに応じて、折り畳むか又は丸めるといった簡単な作業で例えばリボンやポンポンの形態とし、これをソックスの甲側面に重合することでワンポイントが利いたソックスとすることができる。
【００１５】
上記のソックスであって、前記開口には、前記足指の各指間に挿入される指仕切部が設けられている構成とする。
【００１６】
このような構成により、着用時に指仕切部が各指間に挿入されるため、各指間を指仕切部の幅分広げることができる。これにより、甲幅の狭い靴を履くことによって各指間が圧迫されていても、各指間を広げてリラックスすることができる。
【考案の効果】
【００１７】
本考案によれば、ソックス着用者の好みに応じて、足指に対する通気性及び保温性を選択的に得ることができ、かつ、意匠性にも優れたソックスを提供できる。
【図面の簡単な説明】
【００１８】
【図１】本考案に係るソックスの一実施形態を示す斜視図である。
【図２】図１に示すソックスにおいて、ソックスの先端をカバー体で覆った状態を示す斜視図である。
【図３】図１に示すソックスにおいて、カバー体を折り畳む手順を説明する斜視図である。
【図４】図１に示すソックスにおいて、カバー体を折り畳む手順を説明する斜視図であり、図３に示す状態の次の状態を示す。
【図５】図１に示すソックスにおいて、カバー体を折り畳む手順を説明する斜視図であり、図４に示す状態の次の状態を示す。
【図６】図１に示すソックスにおいて、ソックスの使用状態を説明する斜視図である。
【図７】本考案に係るソックスの変形例を示す斜視図である。
【図８】本考案に係るソックスの他の変形例を示す斜視図である。
【考案を実施するための形態】
【００１９】
以下、本考案の実施形態について図１〜図８を参照しながら説明するが、まず本考案のソックスの構成を説明し、その後に、本考案のソックスの使用態様、本考案のソックスの効果について説明する。
【００２０】
図１は、本考案に係るソックスの斜視図、図２は、ソックスの先端をカバー体で覆った状態を示す斜視図、図３〜図５は、カバー体を折り畳む手順を説明する斜視図、図６は、ソックスの使用状態を説明する斜視図、図７は、本考案に係るソックスの変形例を示す斜視図、図８は、本考案に係るソックスの他の変形例を示す斜視図である。
【００２１】
−本実施形態の構成の説明−
本実施形態に係るソックス１は、先端が開口５されており、着用時に開口５から足指ｔが露出するように構成されたソックス１であって、カバー体２と、保持部材３と、指仕切部４とが備えられている。
【００２２】
カバー体２は、内部に足指の５本すべてを一括して収容する空間をもった袋状のものであって、その基端縁のうちソックス１の甲側面に対応する部分がソックス１の先端に縫い付けられており、ソックス１の開口５に装着及び取り外し自在とされたものである。また、カバー体２の基端縁には、図示しないゴム紐などの伸縮部材が縫着されている。開口５にカバー体２が装着されるときは、カバー体２によって、開口５から露出した足指ｔが被覆されるとともに開口５が閉塞される（図２参照）。一方、開口５からカバー体２が取り外されているときは、カバー体２は、ソックス１の装飾として利用される（図１参照）。なお、カバー体２を伸縮性に富んだ生地で編成すれば、上記の伸縮部材を省くこともできる。
【００２３】
保持部材３は、ソックス１の甲側面であって開口５の近傍に設けられており、折り畳まれた（又は、丸められた）カバー体２の重合状態を保持するものである。本実施形態では、保持部材３として、ボタン３ａ及び伸縮自在のゴム紐３ｂがソックス１の開口５の近傍に縫い付けられている。このような構成によって、折り畳まれたカバー体２をゴム紐３ｂで括った後に、ゴム紐３ｂをボタン３ａに引っかけることで、カバー体２の重合状態を保持することができる。
【００２４】
指仕切部４は、開口５に設けられており、足指ｔの各指間に挿入されるものである（図１参照）。図示例では、４つの指仕切部４が設けられているが、指仕切部４の個数はこの例に限られない。また、指仕切部４を設けなくてもよい。
【００２５】
−本実施形態の使用態様の説明−
次に、本考案のソックスの使用態様を、カバー体２の装着時と取り外し時とに分けて説明する。
【００２６】
［カバー体２の装着時の使用態様］
ここでは、カバー体２を装飾として利用している状態（図１参照）から、カバー体２を開口５に装着する手順について説明する。
【００２７】
まず、カバー体２に巻かれたゴム紐３ｂを、ボタン３ａから取り外し、カバー体２の重合状態を解放する（図３参照）。これでカバー体２はその基端縁がソックス１の爪先側を向くので、該基端縁のうちソックス１に縫い付けられていない部分を持って、該基端縁に縫着された伸縮部材を伸ばしながら爪先方向に反転させることにより、カバー体２で足指ｔを被覆することができる（図２参照）。カバー体２は、その基端縁の伸縮部材の収縮力により開口５を閉塞した状態で足指周りに保持される。
【００２８】
［カバー体２の取り外し時の使用態様］
次に、カバー体２が開口５に装着された状態（図２参照）から、カバー体２を装飾として利用する手順について説明する。
【００２９】
まず、ソックス１の先端に装着されたカバー体２を取り外すとともに反転させてカバー体２をソックスの甲側面に配置する（図３参照）。その後、取り外されたカバー体２を、例えば３つに折り畳む。この折り畳み手順について詳述すると、まず、カバー体２の基端縁部分を、折り線ｐ（図３参照）に沿って爪先側に向けて折り畳む（図４参照）。次に、カバー体２の先端部分を、折り線ｑ（図３及び図４参照）に沿ってソックス１の踵側に向けて折り返す（図５参照）。その後、折り畳んだ状態を保持しながら、カバー体２をゴム紐３ｂで括って、ボタン３ａに掛止する（図１及び図６参照）。これにより、カバー体２の幅方向の中央部がゴム紐３ｂによって絞られるとともにカバー体２の両端部が自らの弾性力で広がるため、リボンのような形態を呈することとなる。このようにカバー体２はソックス１の甲側面に保持されるため、カバー体２はソックス１の装飾用のリボンとして機能し、ワンポイントが利いたソックス１となる。なお、カバー体２は、ソックス１の装飾として利用する際、上述したようにリボンのような形態に限らず、丸めることにより例えばポンポンのような形態としてもよい。その場合、保持部材３としては、丸められたカバー体２を保持するのに適した、例えば面ファスナーなどを採用すればよい。
【００３０】
−本実施形態の効果−
以上説明したとおり、ソックス１には、先端に足指ｔを被覆するとともに開口５を閉塞するカバー体２が、取り外し及び装着自在に設けられているため、ソックス着用者の好みに応じて、足指に対する通気性及び保温性を選択的に得ることができる。
【００３１】
また、カバー体２が開口５から取り外されているときは、ソックス１の装飾として利用されるため、意匠性の良いソックス１とすることができる。
【００３２】
また、カバー体２を折り畳むか又は丸めて、開口５の近傍に設けられた保持部材３によってカバー体２をソックスに重合させることができるため、簡単な作業によってカバー体２をソックス１の装飾とすることができる。
【００３３】
また、着用時に指仕切部４が各指間に挿入されるため、指仕切部４の幅分、各指間を広げることができる。よって、甲幅の狭い靴を履くことによって各指間が圧迫されていても、各指間を広げてリラックスすることができる。
【００３４】
−本考案の変形例の説明−
なお、今回開示した実施形態は、すべての点で例示であって、限定的な解釈の根拠となるものではない。したがって、本考案の技術的範囲は、上記した実施形態のみによって解釈されるものではなく、実用新案登録請求の範囲の記載に基づいて画定される。また、本考案の技術的範囲には、実用新案登録請求の範囲と均等の意味および範囲内でのすべての変更が含まれる。
【００３５】
例えば、本考案のソックス１は、足の甲部分のみを保護するソックス１としてもよい（図７参照）。また、ソックス１の長さを、少なくともふくらはぎｃを覆う程度の長さとしてもよい（図８参照）。ソックス１の長さを、少なくともふくらはぎｃを覆う程度の長さとする場合は、ふくらはぎｃを適度に締め付ける仕様としてもよい。これにより、ふくらはぎｃがソックス１によって締め付けられるため、脚のむくみを解消することができる。
【００３６】
また、本実施形態では、カバー体２がソックス１の先端に縫い付けられている構成を説明したが、カバー体２がソックス１の先端に縫い付けられていなくてもよい。すなわち、カバー体２が面ファスナーやホック等でソックス１に着脱自在とされていてもよい。
【００３７】
また、本実施形態では、カバー体２を折り畳むことで甲側面に重合させた構成を説明したが、カバー体２の重合位置は甲側面に限られず、ソックス１の側面や裏面であってもよい。
【００３８】
また、本実施形態では、保持部材３は、ボタン３ａ及びゴム紐３ｂとして説明したが、この例に限られず、例えば、カバー体２を丸めた後に、カバー体２を収納する保持袋を用いてカバー体２を収納し、カバー体２をポンポンとしてもよい。
【００３９】
また、本実施形態では、保持部材３を、ボタン３ａ及びゴム紐３ｂとし、ゴム紐３ｂをボタン３ａに引っかけてカバー体２を重合させる手順を説明したが、ボタン３ａに代えてホックを用いてもよい。
【００４０】
また、本考案のソックスの素材をパイル生地としてもよい。ソックスの素材をパイル生地とすることで、肌触りと吸湿性を高めることができる。
【符号の説明】
【００４１】
１      ソックス
２      カバー体
３      保持部材
３ａ    ボタン
３ｂ    ゴム紐
４      指仕切部
５      開口
ｔ      足指
【図１】
0003186427.tif 000003
【図２】
0003186427.tif 000004
【図３】
0003186427.tif 000005
【図４】
0003186427.tif 000006
【図５】
0003186427.tif 000007
【図６】
0003186427.tif 000008
【図７】
0003186427.tif 000009
【図８】
0003186427.tif 000010